(57)【特許請求の範囲】
【請求項１】
電波を介して放送される放送コンテンツを受信する放送コンテンツ受信部と、
IP網を通じて配信されるネットコンテンツを取得するネットコンテンツ取得部と、
前記ネットコンテンツ上に前記放送コンテンツを合成して出力する合成出力部と、
前記IP網から取得される切替制御信号に基づいて、前記合成出力部において合成される放送コンテンツと、前記ネットコンテンツとを差し替えて出力するコンテンツ差替部と、
前記合成出力部により実行されたブラウザソフトにおいて入力された情報データのアドレスと、特定情報データのアドレスとを、前記IP網から取得されるトリガー信号によりＯＮ又はＯＦＦされるフラグに基づき、差し替えるアドレス差替部と
を備え、
前記放送コンテンツ受信部は、
放送信号を受信する放送受信部と、
受信電波信号を所定のデジタル信号に変換して出力する変換部とを備え、
前記ネットコンテンツ取得部は、ブラウザソフトにより指定されたアドレス又はアドレス差替部により差し替えられたアドレスにアクセスすることにより、前記ネットコンテンツを取得する
ことを特徴とする情報配信システム。
【請求項２】
特定の情報データのアドレスを記憶する記憶部をさらに備え、
前記記憶部は、前記アドレス差替部によるアドレスの差し替えの際に、差し替えられた元の情報データアドレスを記憶し、前記ネットコンテンツ取得部は、前記アドレス差替部によるアドレスの差し替えが停止された際には、前記記憶部に記憶された元の情報データアドレスにアクセスする
ことを特徴とする請求項1に記載の情報配信システム。
【請求項３】
前記放送コンテンツ受信部は、前記合成出力部が備えられた装置本体から着脱可能であることを特徴とする請求項1に記載の情報配信システム。
【請求項４】
前記切替制御信号は、切り替える時間と関連付けられたファイル形式により、周期的に前記IP網から取得されることを特徴とする請求項3に記載の情報配信システム。
【請求項５】
電波を介して放送される放送コンテンツを受信する放送コンテンツ受信部と、
IP網を通じて配信されるネットコンテンツを取得するネットコンテンツ取得部と、
前記ネットコンテンツ上に前記放送コンテンツを合成して出力する合成出力部と、
を備えた端末装置によって映像や音声を視聴するための情報配信方法であって、
前記放送コンテンツ受信部により電波を介して放送される放送コンテンツを受信するステップ(1)と、
前記ネットコンテンツ取得部によりIP網を通じて配信されるネットコンテンツを取得するステップ(2)と、
前記合成出力部により前記ネットコンテンツ上に前記放送コンテンツを合成して出力するステップ(3)と、
を備え、
前記ステップ(2)では、前記IP網から取得されるトリガー信号によりＯＮ又はＯＦＦされるフラグに基づき、前記合成出力部により実行されたブラウザソフトにおいて入力された情報データのアドレスと、特定情報データのアドレスとを差し替えるとともに、前記ブラウザソフトにより指定されたアドレス、又は差し替えられた特定情報データのアドレスにアクセスすることによって、前記ネットコンテンツを取得し、
前記ステップ(3)では、前記IP網から取得される切替制御信号に基づき、前記合成出力部において合成される放送コンテンツと、前記ステップ(2)で取得されたネットコンテンツとを差し替えて出力する
ことを特徴とする情報配信方法。
【請求項６】
前記ステップ(2)では、
特定の情報データのアドレスを記憶部に記憶しておき、前記情報データのアドレスを差し替える際に、差し替えられた元の情報データアドレスを記憶し、前記情報データのアドレスの差し替えが停止された際には、前記記憶部に記憶された元の情報データアドレスにアクセスする
ことを特徴とする請求項5に記載の情報配信方法。
【請求項７】
前記放送コンテンツ受信部は、前記合成出力部が備えられた装置本体から着脱可能であることを特徴とする請求項5に記載の情報配信方法。
【請求項８】
前記切替制御信号は、切り替える時間と関連付けられたファイル形式により、周期的に前記IP網から取得されることを特徴とする請求項7に記載の情報配信方法。
【発明の詳細な説明】
【技術分野】
【０００１】  本発明は、地上波放送や衛星放送など、電波を介して放送される放送コンテンツと、インターネット等のＩＰ網を通じて配信されるネットコンテンツとを融合させて出力するための情報配信システム及び情報配信方法に関する。
【背景技術】
【０００２】  従来、地上波放送や衛星放送等は、専用の受像機により放送電波を受信し、映像や音声を出力して、視聴している。一方、インターネットの発達により、インターネットを通じてＷｅｂサイトの閲覧や、ストリーミングによる映像コンテンツを配信が可能となっている。【０００３】  ところで、上記放送コンテンツは、放送局から一方的に放送される電波により配信されるものであることから、受像機側ではこの放送コンテンツを受動的に視聴することしかできない。その一方で、インターネットを通じて配信されるコンテンツは、双方向通信により種々のサービスの提供が可能である。【０００４】  このような事情に鑑み、従来より、ケーブルテレビ等の有線テレビ放送網から提供されるテレビ映像信号を、該有線テレビ放送網を通じてインターネットから配信される配信情報に重ね合わせ（スーパーインポーズ）して表示する技術が提案されている（例えば、特開２００２−１７１４５８号公報参照）。【０００５】  しかしながら、上述した公報に開示された技術では、有線テレビ放送網を介して、テレビ映像信号や、インターネット配信情報を取得する方式であることから、ケーブルテレビ等の有線テレビ放送網に加入しているユーザーでなければ、利用できないという問題があった。【０００６】  また、近年では、パーソナルコンピュータ等の端末装置によりテレビ視聴やインターネット情報の閲覧を行う場合が多く、さらに、端末装置のモバイル化が進み、端末装置を携帯し移動しつつ情報の配信を受ける場合も多くなっている。そのため、上述したような専用の装置を有線テレビ放送網に接続することを前提とした技術では、汎用性に乏しく、また上記モバイル化の要請に応えることが困難となっている。
【発明の開示】
【０００７】  そこで、本発明は以上の点に鑑みてなされたもので、特別な有線テレビ放送網を必要とすることなく、既存のコンピュータ等の端末装置で、テレビ放送とインターネット情報との融合による様々なサービスを受けることのできる汎用性の高い情報配信システム及び情報配信方法を提供することをその課題とする。
【０００８】
上記課題を解決するために、本発明は、表示部を備えた端末装置によって映像や音声を視聴する際、放送コンテンツ受信部により、電波を介して放送される放送コンテンツを受信するとともに、ネットコンテンツ取得部により、IP網を通じて配信されるネットコンテンツを取得し、合成出力部により、ネットコンテンツ上に放送コンテンツを合成して出力する。このとき、前記IP網から取得される切替制御信号に基づき、前記合成出力部により実行されたブラウザソフトにおいて入力された情報データのアドレスと、特定情報データのアドレスとを差し替えるとともに、前記ブラウザソフトにより指定されたアドレス、又は差し替えられた特定情報データのアドレスにアクセスすることによって、前記ネットコンテンツを取得し、前記IP網から取得される切替制御信号に基づき、前記合成出力部において合成される放送コンテンツと、取得されたネットコンテンツとを差し替えて出力する。
【０００９】
このような本発明によれば、受信された放送コンテンツは、インターネット等のIP網から提供されるネットコンテンツと合成されて出力されるため、放送コンテンツによるリアルタイムの情報と、双方向通信により提供される多様な情報とを融合した形式で視聴することができる。また、切替制御信号によって、表示部に表示される映像の切替をIP網側から制御することが可能となり、放送コンテンツの内容にリンクしたネットコンテンツを出力させることができる。
【００１０】
上記発明において、特定の情報データのアドレスを記憶する記憶部をさらに備え、記憶部は、アドレス差替部によるアドレスの差し替えの際に、差し替えられた元の情報データアドレスを記憶し、ネットコンテンツ取得部は、アドレス差替部によるアドレスの差し替えが停止された際には、記憶部に記憶された元の情報データアドレスにアクセスする
ことが好ましい。
【００１１】
上記発明において、放送コンテンツ受信部は、合成出力部が備えられた装置本体から着脱可能であることが好ましい。この場合には、端末装置に着脱可能な放送コンテンツ受信部により、放送コンテンツを受信するため、特別な有線テレビ放送網を必要とすることがない。
【００１２】  上記発明において、切替制御信号は、切り替える時間と関連付けられたファイル形式により、周期的にＩＰ網から取得されることが好ましい。この場合には、タイムスケジュールに基づいて、時間毎の切替制御信号を一括して配信することにより、通信負荷を軽減することができる。
【図面の簡単な説明】
【００１３】
【図１】図１は、実施形態に係る情報配信システムの全体構成を示す説明図である。
【図２】図２は、実施形態に係る合成出力部の機能を示す説明図である。
【図３】図３は、実施形態に係る終端装置の機能を示す説明図であり、（ａ）は、終端装置及び周辺装置の関係を示すブロック図であり、（ｂ）は、それらの動作を示すフローチャート図である。
【図４】図４は、実施形態に係る端末装置のバックアップ機能を示す説明図であり、（ａ）は、端末装置及びバックアップサーバの関係を示すブロック図であり、（ｂ）は、バックサーバの構成を示すブロック図であり、（ｃ）は、ＨＤＤ管理部の構成を示すブロック図である。
【図５】図５は、実施形態に係るバックアップサービスの動作処理を示すフローチャート図であり、（ａ）は端末側、（ｂ）はサーバ側の動作を示す。
【図６】図６は、変更例に係る情報配信システムの全体構成を示す説明図である。
【発明を実施するための最良の形態】
【００１４】（情報配信システムの全体構成）
本発明の実施形態について、図面を参照しながら説明する。図１は、本実施形態に係る情報配信システムの全体構成を示す説明図である。【００１５】  同図に示すように、本実施形態に係る情報配信システムは、モニター７を備えた端末装置１と、ＩＰ網３に接続するための終端装置２と、電波による放送を行う放送局５と、ＩＰ網３上に配置されたコンテンツサーバ４とから概略構成される。【００１６】  ＩＰ網３は、通信プロトコルＴＣＰ／ＩＰを用いて種々の通信回線（電話回線やＩＳＤＮ回線、ＡＤＳＬ回線などの公衆回線、専用回線、無線通信網）を相互に接続して構築される分散型の通信ネットワークであり、このＩＰ網３には、１０ＢＡＳＥ−Ｔや１００ＢＡＳＥ−ＴＸ等によるイントラネット（企業内ネットワーク）や家庭内ネットワークなどのＬＡＮなども含まれる。【００１７】  終端装置２は、端末装置１をＩＰ網３に接続するための装置であり、電話回線に接続する際にデジタルデータと音声信号との相互変換を行うモデム等の変復調装置や、ＡＤＳＬ回線に接続する際にＡＤＳＬ信号とＬＡＮ回線との相互変換を行うＡＤＳＬモデム等の信号変換機、ＩＳＤＮ回線に接続するために必要となるＤＳＵやターミナルアダプタ等の装置が含まれる。【００１８】  コンテンツサーバ４は、ＷＷＷ（Ｗｏｒｌｄ  Ｗｉｄｅ  Ｗｅｂ）等のドキュメントにおいて、ＨＴＭＬ（ＨｙｐｅｒＴｅｘｔ  Ｍａｒｋｕｐ  Ｌａｎｇｕａｇｅ）ファイルや画像ファイル、音楽ファイルなどのネットコンテンツの送信を行うサーバコンピュータ或いはその機能を持ったソフトウェアであり、ＨＴＭＬ文書や画像などの情報を蓄積しておき、これらの情報を、ブラウザなどのクライアントソフトウェアの要求に応じ、インターネットなどのＩＰ網を通じ送信する。【００１９】（端末装置１）
端末装置１は、ＣＰＵを備えた演算処理装置であり、パーソナルコンピュータ等の汎用コンピュータや、機能を特化させた専用装置により実現することができ、モバイルコンピュータやＰＤＡ（Ｐｅｒｓｏｎａｌ  Ｄｉｇｉｔａｌ  Ａｓｓｉｓｔａｎｃｅ）が含まれる。モニター７は、液晶ディスプレイやＣＲＴディスプレイ、プラズマディスプレイ等の表示装置であり、出力インターフェース１３を介して端末装置１に接続され、映像や音声の出力を行う。【００２０】  具体的に、端末装置１は、電波を介して放送される放送コンテンツを受信する放送コンテンツ受信部６と、ＩＰ網３を通じて配信されるネットコンテンツを取得するネットコンテンツ取得部１２と、ネットコンテンツ上に放送コンテンツを合成して出力する合成出力部１４とを備えている。【００２１】  放送コンテンツ受信部６は、図２に詳細に示すように、放送信号を受信する放送受信部６１と、受信電波信号を変調し、所定のデジタル信号に変換して出力する変換部６２とを備え、本実施形態では、ＵＳＢ等のデータ伝送規格に対応したインターフェース６４を備え、端末装置１のＵＳＢインターフェース（ＵＳＢ端子）１１に着脱可能なアダプター装置となっている。放送受信部６１は、いわゆるチューナー機能を提供する回路であり、周波数を変更することにより、地上波放送や衛星放送、ケーブルテレビ、ラジオ放送等の各チャンネルの放送を受信することができる。なお、本実施形態において、放送コンテンツ受信部６は、自機に内蔵（或いは付属）するアンテナにより電波を受信するが、例えば、テレビアンテナ用の接続端子を設けて、他のアンテナ装置と接続して、放送信号を取得する構成としてもよい。【００２２】  また、放送コンテンツ受信部６は、ＩＰ網３にアクセスするための当該放送コンテンツ受信部６に固有の識別子（ユーザーＩＤ）を記憶するメモリ６３を有し、ネットコンテンツ取得部１２がＩＰ網３上の各種サーバにアクセスする際の要求に応じてユーザーＩＤを送出し、認証を行う機能を備えている。【００２３】  ネットコンテンツ取得部１２は、ＴＣＰ／ＩＰ等の通信プロトコルにより、終端装置２を通じて、上述したＨＴＭＬなどのネットコンテンツを受信するモジュールであり、本実施形態では、ＩＥＥＥ  ８０２．１１ｂ等の無線ＬＡＮ規格に従ったＬＡＮカードにより実現され、終端装置２と無線通信を行う。【００２４】  合成出力部１４は、本実施形態では、端末装置１で実行されるブラウザソフト１４ａを起動・実行する機能を備えており、図２に示すように、このブラウザソフト１４ａにより、ＩＰ網３上のコンテンツサーバ４１が配信するＨＴＭＬ（ＨｙｐｅｒＴｅｘｔ  Ｍａｒｋｕｐ  Ｌａｎｇｕａｇｅ）ファイルや画像ファイル、音楽ファイルなどをダウンロードし、レイアウトを解析して表示・再生し、Ｗｅｂページの閲覧を行うとともに、このＷｅｂページ内に放送コンテンツを合成して出力する。具体的には、コンテンツサーバ４１が配信するネットコンテンツＤ２（ＨＴＭＬファイル）内のタグを解析し、放送コンテンツＤ１が挿入される部分を生成し、この部分に映像等の放送コンテンツＤ１を合成する。【００２５】  また、合成出力部１４は、ＩＰ網３から取得される切替制御信��Ｄ４に基づいて、合成出力部１４において合成される放送コンテンツＤ１又はその一部（ここではＣＭ部分Ｄ１１及びＤ１３）と、ネットコンテンツとして供給される差替ＣＭＤ３１及びＤ３２とを差し替えて出力するＣＭ差替部１４ｂを有する。【００２６】  詳述すると、合成出力部１４は、放送コンテンツ受信部６で受信された放送コンテンツＤ１の内容を解析する内容解析部１４ｄと、内容解析部１４ｄの解析結果に基づいてＣＭ部分を検出するＣＭ検出部１４ｃと、ハードディスク１６に蓄積された差し替え用ＣＭデータＤ３１〜Ｄ３３を随時読み出す差替ＣＭ読出部１４ｅとを備え、切替制御信号Ｄ４により指示された部分のデータ（ＣＭ部分Ｄ１１及びＤ１３）を、差し替え用ＣＭデータＤ３１〜Ｄ３３に差し替えて、ブラウザソフト１４ａに出力する。【００２７】  なお、本実施形態において切替制御信号Ｄ４は、ＩＰ網３から随時配信される信号の他、例えば、切り替える時間と関連付けられたリスト形式のファイルにより、周期的にＩＰ網３から取得されるデータである。【００２８】  このような構成の端末装置１によって、例えば、サーバ４１で提供されるテレビ放送合成Ｗｅｂサービスを受ける場合には、先ず、図３に示すように、放送コンテンツ受信部６によって放送局５から放送される放送コンテンツＤ１を受信するとともに、ネットコンテンツ取得部１２によりサーバ４１からのネットコンテンツＤ２を取得する。放送コンテンツＤ１は、放送コンテンツ受信部６内において、放送受信部６１により受信され、変換部６２により所定のデジタル信号に変換された後、ＵＳＢＩ／Ｆ６４，１１を通じて、合成出力部１４及びＨＤＤ管理部１５に出力される。一方、ネットコンテンツＤ２は、ネットコンテンツ取得部１２により受信され、ハードディスク１６に蓄積されるとともに、合成出力部１４のブラウザソフト１４ａに送出される。なお、このとき切替制御信号Ｄ４及び差し替え用ＣＭデータＤ３１〜Ｄ３３もサーバ４１から受信され、ハードディスク１６に蓄積される。【００２９】  そして、合成出力部１４では、放送コンテンツＤ１とネットコンテンツＤ２とが、ブラウザソフト１４ａにて合成されて出力される。このとき、合成出力部１４では、内容解析部１４ｄ及びＣＭ検出部１４ｃにより、ＣＭ部分の検出が行われ、切替制御信号Ｄ４による指示に従って、差替ＣＭ読出部１４ｅ及びＣＭ差替部１４ｂにおいて、ＣＭ部分が差し替えられて、ブラウザソフト１４ａに送出される。ブラウザソフト１４ａでは、放送局５において放送されているＣＭと異なるＣＭが、差し替えられて出力される。【００３０】  なお、本実施形態では、差し替えられるデータをＣＭ部分とした場合を例に説明したが、本発明はこれに限定されるものではなく、必要に応じて放送コンテンツの番組部分を他の番組（例えば緊急ニュース等）と差し替えてもよい。この場合には、ユーザーがブラウザソフト上で視聴しているチャンネルに関わらず、同一内容のコンテンツを表示させることができるため、緊急性の高い情報を優先的（或いは強制的）に表示させることができる。【００３１】（終端装置２）
終端装置２は、図３（ａ）にも示すように、端末装置１をＩＰ網３に接続するための装置であり、電話回線に接続する際にデジタルデータと音声信号との相互変換を行う変復調機能を備えたアクセス部２３と、メモリ等の記憶部２４と、ＣＰＵ等により実現されるアドレス差替部２２と、無線ＬＡＮ等の通信インターフェース２１とを備える。【００３２】  記憶部２４は、特定の情報データのアドレスを記憶する記憶部であり、本実施形態では、テレビ放送合成Ｗｅｂを配信するサービスに対応したサービス対応サーバ４１のＵＲＬを特定情報データのアドレスとして記憶している。【００３３】  アドレス差替部２２は、ＩＰ網３側から受信されるトリガー信号に基づいて、ブラウザソフト１４ａにおいて入力された情報データのアドレス（例えば、サービス未対応サーバ４２のＵＲＬ）と、記憶部２４に記憶されたサービス対応サーバ４１のＵＲＬとを差し替えるモジュールである。トリガー信号はアクセス部２３を介して取得され、このトリガー信号により、差替を行うか否かのフラグをＯＮ又はＯＦＦする。【００３４】  アクセス部２３は、アドレス差替部２２と、ブラウザソフト１４ａにより指定されたアドレス又はアドレス差替部２２により差し替えられたアドレスにアクセスするモジュールであり、ＴＣＰ／ＩＰ等の所定のプロトコルによりＩＰパケットの送受を行う。また、このアクセス部２３は、サービス対応サーバ４１から配信されるトリガー信号を受信し、受信したトリガー信号をアドレス差替部２２に出力する。【００３５】  なお、本実施形態において、記憶部２４は、アドレス差替部２２によるアドレスの差し替えの際に、差し替えられた元の情報データアドレスを記憶し、アドレス差替部２２は、ＩＰ網３側から受信されるトリガー信号に基づいて、特定情報データのアドレスへの差し替えを停止し、アクセス部２３は、アドレス差替部２２によるアドレスの差し替えが停止された際には、記憶部２４に記憶された元の情報データアドレスにアクセスする。【００３６】  このような構成のシステムによって、情報データにアクセスするには以下の動作による。図３（ｂ）は、アクセス方法の手順を示すフローチャート図である。【００３７】  先ず、ブラウザソフトにおいてユーザーが所望するＵＲＬ（例えば、サービス未対応サーバ４２）を入力し、そのＵＲＬにアクセスすべく、サービス未対応サーバ４２へアクセスするように端末装置１から終端装置２に対して指示が送出される（Ｓ２０１）。このとき、アドレス差替部２２は、ＩＰ網３側からトリガー信号が受信されているか否かを判定し（Ｓ２０２）、受信されている場合には差替機能をＯＮとし、ＵＲＬの差し替えを行い（Ｓ２０３）、差替後のＵＲＬ（サーバ４１のアドレス）にアクセスする（Ｓ２０４）。【００３８】  このとき、本実施形態では、サーバ４１においてテレビ合成Ｗｅｂサービスを受けるための識別子（ＩＤやパスワード）を、放送コンテンツ受信部６内のメモリ６３から取得し、サーバ４１に送信する。サーバ４１では、送信されてきた識別子に基づいて、ユーザー認証を行い、端末装置１が当該サービスに対応したユーザーであることを識別し、サービスの提供を開始する。【００３９】  一方、ステップＳ��０２において、差替機能がＯＦＦになっていると判断した場合には、ユーザーが入力したＵＲＬ（サービス未対応サーバ４２）にそのままアクセスする（Ｓ２０５）。【００４０】  このような本実施形態によれば、ブラウザソフト１４ａが指定したアドレスと、特定情報データのアドレスとを差し替えるいわゆるリダイレクトを実行について、ＩＰ網３側からトリガー信号を送信することによって制御するため、リダイレクトの実行、不実行をサービス提供側で調節することができる。また、本実施形態では、リダイレクトが終了若しくは停止した後に、ユーザーが本来意図していたアドレスにアクセスさせることができ、リダイレクトを実行する前の状態に復帰させることができる。【００４１】（バックアップシステム）
さらに、本実施形態に係る情報配信システムは、ハードディスク１６に蓄積された放送コンテンツやネットコンテンツを、ネット上のバックアップサーバ４３に送信し、バックアップするシステムを備えている。図４は、かかるバックアップシステムに関する説明図である。【００４２】  図３（ａ）に示すように、端末装置１は、ハードディスク１６へのデータの入出力を行うＨＤＤ管理部１５を備えており、このＨＤＤ管理部１５は、ＩＰ網３を通じてバックアップサーバ４３に接続されている。【００４３】  バックアップサーバ４３は、図３（ｂ）に示すように、既に蓄積されている既存データであるオリジナルデータを蓄積するオリジナルデータベース４４ａと、ユーザー毎に設けられた記憶領域にユーザーデータ（差分データ）を蓄積するユーザーデータベース４４ｂとを備えている。【００４４】  また、バックアップサーバ４３は、ユーザーからアップロードされてくるデータを受信する受信部４３ａと、受信されたデータとオリジナルデータとの差分データを生成する差分生成部４３ｂと、各データベースへのデータの入出力を行う入出力Ｉ／Ｆ４３ｃを備えている。さらに、バックアップサーバ４３は、端末装置１側からの要求に応じて、オリジナルデータと差分データとからダウンロード用データを生成する差分合成部４３ｄと、合成されたダウンロード用データを端末装置１に送信するダウンロード部４３ｅとを備えている。【００４５】  一方、端末装置１内に備えられたＨＤＤ管理部１５は、図３（ｃ）に示すように、ハードディスク１６内のデータ占有率を監視する監視部１５ｅと、データ占有率が所定以上となった場合に、ハードディスク１６内のデータ属性に応じて、データを抽出する抽出部１５ｂと、抽出部１５ｂにより抽出されたデータをアップロード用データとしてバックアップサーバ４３に送信するアップロード部１５ａとを備えている。【００４６】  なお、本実施形態において抽出部１５ｂは、ユーザーにより設定されたデータの属性（拡張子や最終更新日時）と重要度を関連付ける設定テーブル１５ｄを保持しており、データ属性としてデータファイルの拡張子や最終更新日時を判別するとともに、設定テーブル１５ｄを参照することによって、ユーザーにより設定されたデータ属性に従って、データの抽出を行う。例えば、データの最終更新時から一定時間経過しているものや、映像や画像、音声ファイルなどデータサイズの大きいもの、表計算ソフトやワープロソフトなど重要な書類データなどを優先的にバックアップする。【００４７】  以上の構成を有するバックアップシステムの動作について説明する。図５（ａ）は、端末装置１側の動作処理をしめるフローチャートであり、図５（ｂ）は、バックアップサーバ４３側の動作処理をしめるフローチャートである。【００４８】  先ず、端末装置１側では、放送コンテンツやネットコンテンツを視聴しつつ、これらのデータをハードディスク１６に蓄積する。このハードディスク１６にデータが書き込まれる毎に、監視部１５ｅによりディスク内のデータ占有率を監視し（Ｓ３０１）、占有率が所定値を超えていないかを判断する（Ｓ３０２）。ステップＳ３０２において、占有率が所定値を超えていないと判断された場合に���（ステップＳ３０２における”Ｎ”）、ステップＳ３０１に戻り、ループ処理により繰り返し監視を続行する。一方、ステップＳ３０２において、占有率が所定値を超えていると判断された場合には（ステップＳ３０２における”Ｙ”）、ステップＳ３０３に移行する。【００４９】  ステップＳ３０３では、ファイルの優先順位について設定テーブル１５ｄを参照し、アップロードすべきファイルを選択し（Ｓ３０４）、選択されたファイルをアップロード部１５ａを通じてバックアップサーバ４３にアップロードするとともに、ハードディスク１６内のファイルを削除する（Ｓ３０５）。【００５０】  バックアップサーバ４３側では、端末装置１からのアップロードを受信部４３ａで受信し、ユーザーデータベース４４ｂの占有率が所定値を超えていないかを判断し（Ｓ４０２）、ステップＳ４０２において、占有率が所定値を超えていないと判断された場合には（ステップＳ４０２における”Ｎ”）、ユーザーが差分のみの蓄積を設定しているかを参照し（ステップＳ４０３）、差分のみの蓄積を設定しないときには（ステップＳ４０３における”Ｎ”）、アップロードされたデータをそのまま保存する（Ｓ４０５）。【００５１】  一方、差分のみの蓄積を設定しているときには（ステップＳ４０３における”Ｙ”）、アップロードされたデータと、オリジナルデータベース４４ａに保存されたデータとの差分を生成し（Ｓ４０４）、差分データを保存する（Ｓ４０５）。この差分データの生成の際には、アップロードされたデータが映像や音声等のときには、ノイズ部分を差分として抽出し、ノイズ部分のみを保存するようにしてもよい。【００５２】  ステップＳ４０２において、所定占有率を超えていると判断した場合（ステップＳ４０２における”Ｙ”）には、その旨をユーザーに通知し、ユーザー領域を拡張するか否かの指示を促す（Ｓ４０６）。ユーザーが領域拡張を希望するとき（ステップＳ４０７における”Ｙ”）には、領域を拡張し（Ｓ４１０）、前記ステップＳ４０２以降の処理を実行する。この領域を拡張する際には、拡張分の課金処理を行う。【００５３】  ステップＳ４０７においてユーザーが領域の拡張を希望しないとき（ステップＳ４０７における”Ｎ”）には、ユーザーデータベース４４ｂ内のデータを削除するか否かの選択を促し、削除ファイルの抽出を行うか否かの判断を行い（Ｓ４０８）、データの削除を希望しないときには、バックアップを中止する（Ｓ４０９）。ステップＳ４０８で、ユーザーがデータの削除を行うことを希望している場合には、上記設定テーブル１５ｄを参照し、重要度が低いデータを優先的に削除し（Ｓ４１１）、前記ステップＳ４０２以降の処理を実行する。【００５４】  このような本実施形態に係るバックアップシステムによれば、端末装置１側のハードディスク１６内に蓄積されたデータを、その属性に応じて抽出してアップロードするため、不必要なアップロードを回避し、サーバにバックアップされるデータ量を低減することができる。また、バックアップサーバ４３側では、既に蓄積されているデータとの差分のみを格納するため、重複したデータが保存されるのを回避し、バックアップサーバの記憶容量を有効に利用することができる。【���０５５】  また、本実施形態では、ユーザーが設定した設定テーブル１５ｄを参照して、ユーザーが設定した重要度に応じて、バックアップするデータを選択するため、ユーザー個々の判断による優先度によりデータのバックアップを行うことができる。【００５６】（変更例）
以上説明した本発明の情報配信システム及び情報配信方法は、以下のような変更を加えることができる。図６は、本発明の変更例を示す説明図である。【００５７】  例えば、上述したテレビ融合Ｗｅｂページを視聴するための端末装置１を、図６に示すような、自動車１０に搭載する。このとき端末装置１の放送コンテンツ受信部６により放送局５からの放送コンテンツを受信するとともに、ＩＰ網３に接続されたサービス対応サーバ４１からネットコンテンツを受信し、ブラウザソフト１４ａにおいてこれらのコンテンツを合成して出力する。【００５８】  ところで、自動車１０は高速で移動するため、放送局５からの放送電波を良好に受信できない場合もある。このため、本変更例では、例えば、道路沿線に配置された電信柱や信号機、ガードレール等に再放送用の小型電波塔５１を多数配置する。【００５９】  この小型電波塔５１は、無線或いは有線によりＩＰ網３に接続され、ＩＰパケットで受信されたデータを放送電波として送出する装置であり、ＩＰ網３上の再放送用サーバ４５に接続されている。【００６０】  この再放送用サーバ４５は、放送局５から放送される電波を受信する放送受信部４５ａと、放送コンテンツを上述したオリジナルデータベース４４ａに既存データ（オリジナルデータ）として保存する入出力Ｉ／Ｆ４５ｃと、放送コンテンツをＩＰパケットにより、ＩＰ網３を通じて上記小型電波塔５１に送信する再放送部４５ｂとを備えている。【００６１】  そして、このような再放送用サーバ４５によれば、放送局５から放送される放送コンテンツをＩＰパケットとして小型電波塔５１から放送され、自動車１０内の端末装置１により受信され、ブラウザソフト１４ａにおいてサービス対応サーバ４１から配信されるＷｅｂページと合成出力される。【００６２】  そして、本変更例でも、自動車１０内の端末装置１に備えられたハードディスク１６で記録を行っている場合において、ハードディスク１６のデータ占有量が一定以上となったときには、記録中の放送コンテンツをバックアップサーバ４３にバックアップすることができる。このとき、再放送用サーバ４５のオリジナルデータベース４４ａは、上述したバックアップサーバ４３と共有されている。【００６３】  そして、バックアップサーバ４３では、自動車１０からアップロードされたデータについて、オリジナルデータベース４４ａに保存された再放送前の放送コンテンツとの差分、すなわち、再放送されたコンテンツが自動車１０において受信される際に生じたノイズを抽出し、ユーザーデータベース４４ｂに保存する。【００６４】  このような本変更例によれば、放送コンテンツの受信が困難な移動体（自動車や鉄道）においても、ホットスポット的なＩＰ網により確実に放送コンテンツを受信することができるとともに、放送コンテンツをＩＰ網３上のバックアップサーバ４３にアップロードすることができる。このとき、バックアップサーバ４３側では、既存データとして再放送前に受信された放送コンテンツをオリジナルデータ（既存データ）として保持することができるため、差分データを確実に生成することができる。
【産業上の利用可能性】
【００６５】  本発明のシステムによれば、端末装置に着脱可能な放送コンテンツ受信部により放送コンテンツを受信するとともに、ネットコンテンツを取得し、これらを合成して出力するため、特別な有線テレビ放送網を必要とすることなく、既存のコンピュータ等の端末装置で、テレビ放送とインターネット情報との融合による様々なサービスを受けることができる。
【図１】
0004988336.tif 000002
【図２】
0004988336.tif 000003
【図３】
0004988336.tif 000004
【図４】
0004988336.tif 000005
【図５】
0004988336.tif 000006
【図６】
0004988336.tif 000007